(57)【要約】      （修正有）【課題】持ち帰りやすく、剛性も高まり、シンプルなのでコストが安くワンアクションでスピーディに包装でき、冷めにくい、一包み二段弁当包装容器を提供する。【解決手段】展開された本体Ａが、形状がシンプルな長方形であり、短辺に平行に６ヵ所の谷折りをする事で、まず一段目の箱形容器を組み合わせ、包み、その上に二段目の同じ容器を包み込みながら全体を包む込む。本体Ａには組み立てのためののりしろや、複雑なカット部分は一点もなく、そのため多くの類似形の制作が極めて簡単であり、それを段ボール又はプラダンを使用する事で、一定の剛性を与えられる。【選択図】図２
0003226921.tif 000002
【実用新案登録請求の範囲】
【請求項１】
Ａ本体展開図で明らかなように本考案はシンプルな長方形であり、組み立てのためののりしろや、複雑なカット部分は１点もない。そのため多くの類似形の制作が極めて簡単であり、一定の剛性を必要とする、あらゆる包装用容器に対し、コストの上で優位に立つ。
【請求項２】
普通の２段弁当の包装を完了させるには、一段目と二段目を接合させるための組立作業工程は複雑となるが、シンプルな中箱Ｂ  Ｃさえあれば、後は一包みとする連続ワンアクション２段弁当が完成する。
【請求項３】
Ａ本体は普通の厚紙でも成立するが、一包みで完了させるため、Ｂ  Ｃ側面は露出する。そのためＡ本体は筋目のある段ボール、又はプラダンが望ましい。その場合Ｂ  Ｃ側面が露出しても、Ａ本体の筋目に直行した方向の剛性が高く一包みを実現している。このシンプルな構造が省資源にも貢献している。
【請求項４】
Ａ本体がシンプルであると言う事は、多種の形状に対応しても小コストで済む。つまり既製品にも対応できる事になる。日本のプラスチック弁当箱サイズはあまり差が泣く、３種類位のサイズのＡ本体のパック売りをすれば、小売りの弁当の持ち帰りに神経を使わなくて済む。又、ある程度まとまった数の弁当を重ねて運ぶ場合でも有効である。
【請求項５】
持ち帰り品の消費税が安くなる事から、高級料理店も弁当が増えることが予想される。高級料理店はスチレン製の２段弁当を用意しているケースが多いが、その包装には手間をかけている。本考案Ａ本体は、ぞれぞれのオリジナル中箱に寸法を合わせて造ればよく、省コストで神経を使わなくて済むオリジナル持ち帰り品を提供出来る。
【考案の詳細な説明】
【技術分野】
【０００１】  本考案は２段弁当の包装を小コストで瞬時に完成させる包装用容器に関する。
【背景技術】
【０００２】  重箱は室町時代に生まれ、ハレの日の料理を入れる２段箱（漆器）であった。元々食器だったが、持ち帰り品としての需要も生まれた。多種の料理をコンパクトに収納出来るが、単純に２段重ねるだけという構造は包装用容器としては不可と言える。移動には風呂敷や紐が用いられた。弁当やでは大箱に入れられ、車で移動、テイクアウトにはコストのかかるスチレンやプラスチックで作られた複雑な容器しか無かった。【０００３】  ピザやお好み焼き等、円形フードを入れる容器が正四角形であるため、持ち帰り辛い。そのため車で持ち帰る事が多かった。ピザについてはほとんど宅配になる習慣が生まれた。近年宅配する人材が集まらず、人件費がネックとなっている。「先行的技術文献」、「特許文献」は見あたらない。
【考案の概要】
【考案が解決しようとする課題】
【０００４】  重箱がハレの日使用された様に、２段食器は食卓に特別な彩りを添える。元々漆塗りであり、高価で流通性はない。そこで樹脂製の質の良い普及品が多く造られてきた。しかし、テイクアウトできるコストではなく、構造的には室町時代と変わりない、すぐバラバラとなり、移動には神経を使っている。【０００５】  ピザの様に、丸形食物については包装用容器は複雑構造（片寄りをなくすため）の正方形となり、これは持ち歩きずらい。又、床面積の多い食物は冷めやすい。【０００６】  従来、２段弁当は省資源文化に逆行しており、簡単に一体化し、剛性の高い包装用容器が望まれていた。
【課題を解決するための手段】
【０００７】  テイクアウトタイプの従来型２段弁当容器は一体化するために、接合部に手間がかかり、その上で全体を厚紙で覆わなければならない。本考案はその２つの開発を迫られていた案件を一挙に解決している。全体を一包みする流れの中で、一段（１）（２）（３）（４）面、及び、２段（５）（６）（７）面が一体化してしまうのだ。【０００８】  Ａ本体は単純な長方形に、６つの折れ線をつけるだけである。カットして捨てる部分がなく、究極の省資源構造といえる。【０００９】  Ａ本体はダンボール、又はそれより安いダンプラが望ましい。折れ線に中空の筋目があるため、その方向に折り目をつけやすく、Ａ本体が開口する方向（筋目に直行）する方向には極めて剛性をもたらす。【００１０】  Ｂ  Ｃは既製品でも良いが、Ａ本体に剛性があるため、幼児が使う画用紙レベルでの薄さでも全体剛性は確保できる。薄くても中箱Ｂ  Ｃの（８）（９）と（１０）（１１）が筋交いとなるからである。
紙は薄いほど省エネといえる。Ａの（３）（４）（５）（６）（７）面で構成した一段容器でも中箱の露出した
部分は筋交いとなり、同様の効果をもつ。【００１１】  市販弁当箱の既製品の寸法は、どれもこれも似たり寄ったりといえる。それゆえＡの寸法を類似する３タイプぐらい造って、１セットで売れば、ほとんどの弁当屋弁当を、コンパクトにガッチリと２段弁当として持ち歩ける。
【考案の効果】
【００１２】  ２段弁当が簡単に省コストで出来ることから、駅弁、弁当屋、コンビニ弁当に至るまで幅広く使われる事になる。但し、弁当屋等についての、中箱Ｂ  Ｃ既製品は蓋のあるプラスチック容器となるが、剛性のために多くのリブを造り安価な感じになっている。Ａ本体を使えば本考案Ｂ  Ｃに近いシンプルな物でよく、重箱本来のコンパクトに彩りを添える機能が生きる高級感のある上品なデザインとすることが出来る。【００１３】  テイクアウト出来る重箱容器として成立する材料の量として最小クラスであることから制作コストを低く抑え事が出来る。【００１４】  重箱容器として単純な構成で剛性を得る事が出来るためＡ本体は様々な寸法を造る事を可能とする。その事はＢ  Ｃ既製品でまかなう事も生まれてくる。【００１５】  シンプルな造作であることから、スピーディな包装作業を可能とする。【００１６】  Ａ本体を拡げれば、バス、電車等の食事でも腿に置くことで、へたれないランチョンマットになる。
【図面の簡単な説明】
【００１７】
【図１】Ａ本体展開図  Ａ本体はａ〜ｆの同じ面につける折れ線だけで造られている。Ａ本体はダンボール又はダンプラで造られることが望ましく、その場合筋目（空気の入いった部分）は折れ線と平行にする。
【００１８】
【図２】Ａ本体完成図  折れ線はすべて山折りとなる。
【００１９】
【図３】Ｂ  ＣはＡ本体完成図の二つのスリットにぴったり入る寸法となる。パッケージングは、まずＣを（１）（２）（３）（４）面で包み、連続してＢを（５）（６）（７）面で包む。Ｂ  Ｃの（８）（９）（１０）（１１）が筋交いとなっている。
【考案を実施するための形態】
【実施例１】
【００２０】  本年の消費税の改正では、持ち帰り品については８％に留められている。主にカフェレストラン、イタリア料理店でのピザの持ち帰りが増える。車で持ち帰るにしても、現状の正方形パッケージでは神経を使う。２分にして２段で持ち帰れば格段に取り回しが良くなる。又、上段と下段の内容を変える事によって、包装を開いた時の重箱ならではの彩りが生まれる。正円にしたければ合体すれば良い。その上、上下に振り分ければ、床面積が２分の１となり、且つ、上段の断熱効果は高く、冷めずらくなる。
【実施例２】
【００２１】  ポリプロピレン製のプラダンは養生用シートとして開発されたため、段ボールや１ミリベニアよりやすく、水には強く、剛性が高い。旅先での駅弁のＡ本体はプラダンが安心だ。半透明を選び、重箱の機能と食材の彩りが駅弁をより魅力的にしてくれる。同時に料理店の持ち帰り、及び催事弁当開発が急がれている。天ぷらや、焼き鳥や等、ご飯を分けたい食種は多い。
【実施例３】
【００２２】  Ａ本体にプラダン半透明タイプで、一段タイプでも剛性が高いため、軟弱な食品容器として利用できる。まず、フルーツサンド。千疋屋でも焼きそばを入れる容器と同じプラスチックケースのため、Ａ本体利用で、高級を演出できる。同じように一段タイプ、二段タイプともケーキの持ち帰り容器としても使える。一般的にケーキの紙製箱はそれほど剛性がないため、安心して持ち運べる。
【実施例４】
【００２３】  剛性があり、スピーディに包装が出来るという点で、陶器屋さんの包装にも使われる。同様に果物、お造り等、安価で剛性が必要でスピーディに包装したい物は数多くある。
【産業上の利用可能性】
【００２４】  本考案は基本的に持ち帰る三次加工食品のための包装用容器として使われ、食品産業で利用される。安価で、剛性が高いため、割れやすいガラス、陶器産業での持ち帰り包装用容器としても使われる。【００２５】図１、Ａ本体展開図
（１）（２）（３）（４）（５）（６）（７）面をａｂｃｄｅｆの折れ線で区別している。
図１、Ａ本体組立図
ａｂｃｄｅｆは山折りされている。（１）（２）（３）（４）（５）（６）（７）面はＩと同じ符号。
図２、Ｂ  Ｃ中箱
既製品でも可。既製品の場合、それぞれの既製品の寸法に合わせてＡ本体の寸法を定める事になる。Ｂ  Ｃ中箱の寸法は、勿論、食物の寸法に合わせる方が良い。Ｂ  ＣはＣの（１）（２）（３）（４）面寸法にピッタリの寸法にすれば、ＢはＣと同じで良い。Ａの剛性を約束するのは、Ｂ  Ｃの（８）（９）（１０）（１１）面が筋交いの役割をしているからといえる。この面は露出するが、段ボールやプラダンの折れ線ａ〜ｆはそれぞれの筋目と平行であれば、（８）（９）（１０）（１１）面は露出していても剛性は問題ない。ピザであれば、蓋もいらない。
【図１】
0003226921.tif 000003
【図２】
0003226921.tif 000004
【図３】
0003226921.tif 000005
【手続補正書】
【提出日】令和1年12月26日(2019.12.26)
【手続補正１】
【補正対象書類名】実用新案登録請求の範囲
【補正対象項目名】全文
【補正方法】変更
【補正の内容】
【実用新案登録請求の範囲】
【請求項１】
展開された本体が、形状がシンプルな長方形であり、短辺に平行に６ヵ所の谷折りをする事で、まず一段目の箱形容器を組み合わせ、包み、その上に二段目の同じ容器を包み込みながら全体を包む込む一包み二段弁当包装容器。
【請求項２】
本体には組み立てのためののりしろや、複雑なカット部分は一点もなく、そのため多くの類似形の制作が極めて簡単であり、それを段ボール又はプラダンを使用する事で、一定の剛性を与えられる事を特徴とした請求項１記載の一包み二段弁当包装容器。
【請求項３】
本体に既製品の箱形容器の寸法を合わせて造る事が容易である事から、既製品を二つ利用した二段弁当を簡単に成立できる特徴を持つ請求項２記載の一包二段弁当包装容器。